(57)【要約】【課題】薬品などの包装容器が不正に開封された場合に、開封の痕跡を確実に残す。【解決手段】正面板４、左側面板３、右側面板５、背面板２、上面板７および下面板から構成された包装容器１において、各側面板３，５の上端縁にそれぞれ引き裂き用ミシン目を介して上サイドフラップ９が連設される一方、上面板７の正面板４と接する側の端縁に折り目を介して差し込みフラップ１２が連設される。また、左右の上サイドフラップ９の正面板４と接する側の端縁に折り目を介して係合片１３が連設されるとともに、該係合片１３に対応して差し込みフラップ１２に略Ｕ字状の切れ目からなる係止爪１２１が形成される。そして、上面板７の開放時に係止爪１２１が係合片１３と係合される【選択図】図５
2005170404.tif 000002
【特許請求の範囲】
【請求項１】
左右の側面板、正面板、背面板、上面板および下面板を有する包装容器において、各側面板の上端縁にそれぞれ引き裂き用ミシン目を介して上サイドフラップが連設される一方、上面板の正面板と接する側の端縁に折り目を介して差し込みフラップが連設され、また、左右の上サイドフラップの正面板と接する側の端縁に折り目を介して係合片が連設されるとともに、該係合片に対応して差し込みフラップに係止爪が形成されてなり、上面板の開放時に係止爪が係合片と係合されることを特徴とする薬品などの包装容器。
【請求項２】
前記上面板と、左右の上サイドフラップとが貼着されていることを特徴とする請求項１記載の薬品などの包装容器。
【発明の詳細な説明】
【技術分野】
【０００１】
本発明は、薬品などの包装容器に関するものである。
【背景技術】
【０００２】
一般に、薬品の包装容器は、正面板、左右の側面板、背面板、上面板、下面板からなり、包装容器を組み立てた後、包装容器内に薬品が添付文書とともに収容され、薬局などに出荷されるようになっている。
【０００３】
薬局などに出荷された薬品は、店内に保管され、通常、購入者が薬品名を指定することによって対応する薬品を取り出し、販売するようにしている。また、薬品によっては、ケースやトレーなどに展示され、必要とする購入者がトレーやケースなどから薬品を取り出して清算する方式も採用されている。
【０００４】
ところで、購入者が直接接触できないように保管された薬品については、薬品の包装容器が不正に開封される事態は想定できないが、ケースなどに展示されて、多数の消費者が接触する機会のある薬品の場合には、包装容器が不正に開封される可能性がある。このため、上面板と正面板および下面板と正面板にかけてそれぞれ封緘紙を貼付し、封緘紙を破らない限り薬品を取り出せないようにし、封緘紙が破れている場合には、包装容器が不正に開封されたと判断し、不正に開封された薬品を誤って販売しないようにしている（例えば、特許文献１参照）。
【特許文献１】実公昭５７−３９３１０号公報
【発明の開示】
【発明が解決しようとする課題】
【０００５】
ところで、前述したように、封緘紙を包装容器に貼付し、封緘紙の破損の有無によって不正に開封されたか否かを把握する方式では、封緘紙を剥離した後、再び封緘紙を貼付した場合、開封の痕跡が残らないことがあり、包装容器が不正に開封されたにも関わらず、未開封の商品として誤って販売されるおそれがある。この場合、本来の数量の薬品が存在しないと、トラブルに発展するおそれがある。
【０００６】
本発明は、このような問題点に鑑みてなされたもので、不正に開封された場合に開封の痕跡を確実に残すことのできる薬品などの包装容器を提供するものである。
【課題を解決するための手段】
【０００７】
本発明は、左右の側面板、正面板、背面板、上面板および下面板を有する包装容器において、各側面板の上端縁にそれぞれ引き裂き用ミシン目を介して上サイドフラップが連設される一方、上面板の正面板と接する側の端縁に折り目を介して差し込みフラップが連設され、また、左右の上サイドフラップの正面板と接する側の端縁に折り目を介して係合片が連設されるとともに、該係合片に対応して差し込みフラップに係止爪が形成されてなり、上面板の開放時に係止爪が係合片と係合されることを特徴とするものである。
【０００８】
本発明によれば、包装容器を組み立てて薬品などを収容した後、上サイドフラップに対して係合片をそれぞれ正面板と接するように折り込むとともに、各側面板に対して上サイドフラップをそれぞれ折り込み、次いで、上面板に対して差し込みフラップを正面板と接するように折り込むとともに、背面板に対して上面板を上方開口部を閉鎖するように折り込み、さらに、差し込みフラップを正面板と接するように差し込んで上方開口部を閉鎖することにより、薬品などを収容した包装容器を形成することができる。このとき、係止爪は、係合片の下端縁を越えた位置にある。
【０００９】
一方、上面板を開放するため、上面板を引き上げると、上面板に連設された差し込みフラップが持ち上げられ、差し込みフラップに形成された係止爪が係合片と係合して、係合片を持ち上げる。係合片が持ち上げられると、その力は、上サイドフラップの、係合片を連設する側の端縁に作用し、上サイドフラップを左右の側面板から切り離すように、引き裂き用ミシン目が徐々に切り裂かれる。
【００１０】
なおも上面板が一定高さ位置まで引き上げると、差し込みフラップの係止爪と係合片との係合状態が継続されて引き裂き用ミシン目が全長にわたって切り裂かれ、上方開口部が開放される。
【００１１】
この結果、引き裂き用ミシン目を切り裂かない限り上面板は開放されないことから、痕跡を残すことなく不正に開封することは困難となる。したがって、包装容器が不正に開封されたことを引き裂き用ミシン目の切り裂きの有無によって把握することができ、不正に開封された商品を誤って販売するのを確実に防止することができる。
【００１２】
係止爪としては、差し込みフラップに略Ｕ字状の切れ目を形成することによって設けることができる。このような係止爪の場合、包装容器を形成するに際して、差し込みフラップを簡単に差し込むことができる。
【００１３】
この場合、係止爪が確実に係合片と係合するように、Ｕ字状の切れ目の先端を結んで折り目を形成し、折り目に沿って係止爪を内方に向けて押し込んだ状態で差し込みフラップを差し込むことが好ましい。
【００１４】
また、係止爪としては、差し込みフラップの左右隅角部において、上面板と差し込みフラップとの折り目と平行であって、かつ、差し込みフラップの左右端縁から内方に向けて形成された一定長さの切れ目と、切れ目に直交するとともに、切れ目の終端から外方に向けて形成された折り目とよって設けることができる。このような係止爪の場合、遊びを有することなく係合片と係合することから、上面板の引き上げ動作を、上サイドフラップを左右の側面板から切り離す引き裂き用ミシン目の切り裂きとして直ちに作用させることができる。
【００１５】
本発明において、前記上面板と、左右の上サイドフラップとが貼着されていると、上面板の開放時に上サイドフラップも上面板と一体になって持ち上げられることから、引き裂き用ミシン目が確実に切り裂かれる。このため、包装容器が不正に開封されたことを引き裂き用ミシン目の切り裂きによってより確実に把握することが可能となるとともに、上面板の開放時に、上サイドフラップを散乱させることなく保持することができる。
【発明の効果】
【００１６】
本発明によれば、不正に開封された場合に開封の痕跡を引き裂き用ミシン目の切り裂きとして確実に残すことができ、不正に開封された薬品などの販売を確実に防止することができる。
【発明を実施するための最良の形態】
【００１７】
以下、本発明の実施の形態を図面を参照して説明する。
【実施例１】
【００１８】
図１には、本発明の包装容器１の第１実施形態が示されている。
【００１９】
この包装容器１は、コートボールを図２に示す展開図にしたがって打ち抜いた後、折り目に沿って折り込むこととともに、所定部分を貼着して組み立てられる。
【００２０】
この包装容器１は、図２の展開図において、背面板２の右端縁に、左側面板３、正面板４および右側面板５が順に折り目ａ，ｂ，ｃを介して連設されるとともに、その左端縁に糊代６が折り目ｄを介して連設される一方、背面板２の上端縁および下端縁に上面板７および糊代８がそれぞれ折り目ｅ，ｆを介して連設され、また、左側面板３および右側面板５の各上端縁にそれぞれ引き裂き用ミシン目ｇを介して上サイドフラップ９が連設されるとともに、それらの各下端縁にそれぞれ折り目ｈを介して下サイドフラップ１０が連設され、さらに、正面板４の下端縁に折り目ｉを介して下面板１１が連設されて構成されている。そして、上面板７の上端縁には、折り目ｊを介して差し込みフラップ１２が連設される一方、各上サイドフラップ９の、正面板４の上端縁と接する側の端縁に折り目ｋを介して係合片１３が連設され、また、前述した差し込みフラップ１２には、略Ｕ字状の切れ目ｍおよび該切れ目ｍの先端を結ぶ折り目ｎによって左右方向に間隔をおいて２個の係止爪１２１が形成されている。
【００２１】
ここで、差し込みフラップ１２に形成されたＵ字状の切れ目ｍのうちの対向する一対の縦方向の切れ目は、後述するように、係合片１３と係合する際、係合片１３が持ち上げられ、上サイドフラップ９とともに、左右の側面板３，５の上端縁から上り勾配に傾斜することを考慮して、外方の切れ目が内方の切れ目よりも長く形成され、これに伴って、折り目ｎは、外方から内方に向けて下り勾配に形成されている。
【００２２】
また、差し込みフラップ１２に対するＵ字状の切れ目ｍの形成位置は、上面板７の左右各端縁の延長線からＵ字状の切れ目ｍの対向する一対の縦方向の切れ目のうちの内方の切れ目までの距離が、係合片１３の高さ（左右側面板３，５と上サイドフラップ９との引き裂き用ミシン目ｇと、上サイドフラップ９の上端縁までの長さ）の範囲内にあり、かつ、Ｕ字状の切れ目ｍの横方向の切れ目と、上面板７と差し込みフラップ１２との折り目ｊとの間隔が、係合片１３の幅（上サイドフラップ９と係合片１３との折り目ｋと、係合片１３の自由端までの長さ）よりも若干大きくなるように設定されている。
【００２３】
次に、このように構成された包装容器１の組み立て手順について説明する。
【００２４】
まず、図２の展開図にしたがってコートボールを打ち抜くとともに、裏面が上面を向くように反転させた後  左側面板３に対して背面板２を折り目ａに沿って谷折りし、糊代６，８の表面にそれぞれ接着剤を塗布する。次いで、正面板４に対して右側面板５を谷折りし、その裏面側側端縁部を糊代６に貼着する。その後、正面板４に対して右側面板５を折り目ｃに沿って、また、左側面板３を折り目ｂに沿ってそれぞれ谷折りするように起立させる。次いで、左右の側面板３，５に対してそれぞれ下サイドフラップ１０を折り目ｈに沿って谷折りするとともに、背面板２に対して糊代８を折り目ｆに沿って谷折りした後、正面板４に対して下面板１１を折り目ｉに沿って谷折りし、その裏面を糊代８に貼着する。これにより、上面が開口された包装容器１を形成する（図３参照）。
【００２５】
この後、開放された上方開口部から薬品を添付文書とともに挿入する一方、左右の上サイドフラップ９に対して係合片１３を折り目ｋに沿って谷折りするとともに、左右の各側面板３，５に対して上サイドフラップ９を引き裂き用ミシン目ｇに沿って谷折りし、係合片１３をその先端縁が正面板４の背面に接するように差し込む。次いで、上面板７に対して差し込みフラップ１２を折り目ｊに沿って谷折りするとともに、係止爪１２１を内方に向けて押し込んで折り目ｎに沿って折り込む。さらに、背面板２に対して上面板７を折り目ｅに沿って谷折りし、差し込みフラップ１２をその先端縁が正面板４の背面に接するように差し込むことにより、包装容器１が形成される（図１参照）。
【００２６】
なお、係止爪１２１は、差し込みに際して、折り目ｎがＵ字状の切れ目ｍより下方に位置していることから、係合片１３を押し開きながら抵抗になることなく容易に差し込まれる。この際、係止爪１２１は、先に差し込まれている係合片１３の下端縁を越えた位置にある（図４参照）。
【００２７】
このようにして薬品が収容された包装容器１は、薬局などに出荷される。そして、薬局で薬品を購入した消費者が包装容器１を開封する場合は、上面板７を引き上げればよい。すなわち、上面板７を引き上げると、上面板７に連設された差し込みフラップ１２も引き上げられ、差し込みフラップ１２に形成された係止爪１２１が係合片１３と係合して、係合片１３を押し上げる。係合片１３が押し上げられると、その力は上サイドフラップ９の、係合片１３を連設する側の端縁に作用し、上サイドフラップ９を左右の側面板３，５から切り離すように、引き裂き用ミシン目ｇが徐々に切り裂かれる。
【００２８】
この場合、係止爪１２１を形成する切れ目ｍは、外方の縦方向の切れ目が内方の縦方向の切れ目よりも長いため、差し込みフラップ１２の係止爪１２１が係合片１３に係合し、係合片１３および該係合片１３を介して上サイドフラップ９が引き裂き用ミシン目ｇに沿って内方に向けて上り勾配に傾斜するときにおいても、係合片１３に対する係止爪１２１の係合状態は確保される。
【００２９】
なおも上面板７が一定高さ位置まで引き上げられると、差し込みフラップ１２の係止爪１２１と係合片１３との係合状態が継続されて引き裂き用ミシン目ｇが全長にわたって切り裂かれ、包装容器１の上方開口部が開放される。したがって、開放された包装容器１の上面開口部を通して内部に収容された薬品を添付文書とともに引き出すことができる（図５参照）。
【００３０】
一方、薬局などの店頭に展示されている包装容器１を不正に開封しようとして上面板７を引き上げた場合、前述したように、上面板７に連設された差し込みフラップ１２が引き上げられ、差し込みフラップ１２の係止爪１２１が係合片１３と係合して、係合片１３を押し上げることから、係合片１３を連設する上サイドフラップ９と、左右の側面板３，５との引き裂き用ミシン目ｇが切り裂かれる。
【００３１】
この結果、引き裂き用ミシン目ｇを切り裂かない限り上面板７は引き上げられないことから、引き裂き用ミシン目ｇの切り裂きの痕跡を残すことなく不正に開封することは困難となる。したがって、包装容器１が不正に開封されたことを引き裂き用ミシン目ｇの切り裂きの有無によって把握することができ、不正に開封された商品を誤って販売するのを確実に防止することができる。
【００３２】
なお、包装容器１に薬品を添付文書とともに収容した後、上面板７を折り込んで上方開口部を閉鎖する際、各上サイドフラップ９の表面に接着剤を塗布して、各上サイドフラップ９と上面板７とを貼着することが好ましい。すなわち、上面板７を上サイドフラップ９に貼着することにより、上面板７を引き上げて開封する際、図５に示すように、上面板７と一体に上サイドフラップ９が引き上げられることから、係止爪１２１と係合片１３との係合と相まって、左右の側面板３，５と上サイドフラップ９とを連設する引き裂き用ミシン面ｇが確実に切り裂かれる。
【００３３】
このため、正規に上面板７を開封する場合は、速やかに引き裂き用ミシン目ｇを切り裂くことができ、一方、不正に開封しようとした場合は、引き裂き用ミシン目ｇの切り裂きを痕跡として残すことができ、より確実に不正開封を把握することができる。
【実施例２】
【００３４】
図６には、本発明の包装容器１の第２実施形態が示されている。
【００３５】
この包装容器１も、先に説明した包装容器１と同様に、背面板２、左側面板３、正面板４、右側面板５、上面板７、上サイドフラップ９、下サイドフラップ１０、下面板１１から構成され、コートボールを図７に示す展開図にしたがって打ち抜いた後、折り目に沿って折り込むこととともに、所定部分を貼着して組み立てられる。
【００３６】
このため、先に説明した包装容器１と同一の部材には同一の符号を付すとともに、その詳細な説明を省略し、主に相違する部分について説明する。
【００３７】
上面板７の上端縁には、折り目ｊを介して差し込みフラップ１２が連設される一方、各上サイドフラップ９の、正面板４の上端縁と接する側の端縁に折り目ｋを介して係合片１３が連設されている。また、差し込みフラップ１２には、左右隅角部において、切れ目ｐと折り目ｑによって係止爪１２２が形成されている。すなわち、係止爪１２２は、差し込みフラップ１２の左右各端縁に直交するとともに、その左右端縁から内方に向けて形成された一定長さの切れ目ｐと、各切れ目ｐに直交するとともに、各切れ目ｐの終端から上端縁に向けて形成された折り目ｑとによって設けられる。
【００３８】
なお、係止爪１２２の幅（折り目ｑから左右各端縁までの長さ）は、内容物である薬品などとの干渉を防止するため、外端部が切除されて、一定長さに設定されている。
【００３９】
ここで、切れ目ｐの形成位置は、切れ目ｐと、上面板７と差し込みフラップ１２との折り目ｊとの間隔が、係合片１３の幅（上サイドフラップ９と係合片１３との折り目ｋと、係合片１３の端縁までの長さ）よりもやや大きくなるように設定されている。
【００４０】
また、折り目ｑの形成位置は、折り目ｑと、差し込みフラップ１２の左右各端縁の延長線との間隔が、係合片１３の高さ（左右側面板３，５と上サイドフラップ９との引き裂き用ミシン目ｇと、上サイドフラップ９の上端縁までの長さ）の範囲内にあるように設定されている。
【００４１】
次に、このように構成された包装容器１の組み立て手順について説明する。
【００４２】
まず、図７の展開図にしたがってコートボールを打ち抜くとともに、裏面が上面を向くように反転させた後  左側面板３に対して背面板２を折り目ａに沿って谷折りし、糊代６，８の表面にそれぞれ接着剤を塗布する。次いで、正面板４に対して右側面板５を谷折りし、その裏面側側端縁部を糊代６に貼着する。その後、正面板４に対して右側面板５を折り目ｃに沿って、また、左側面板３を折り目ｂに沿ってそれぞれ谷折りするように起立させる。次いで、左右の側面板３，５に対してそれぞれ下サイドフラップ１０を折り目ｈに沿って谷折りするとともに、背面板２に対して糊代８を折り目ｆに沿って谷折りした後、正面板４に対して下面板１１を折り目ｉに沿って谷折りし、その裏面を糊代８に貼着する。これにより、上面が開口された包装容器１を形成する（図８参照）。
【００４３】
この後、開放された上方開口部から薬品を添付文書とともに挿入する一方、左右の上サイドフラップ９に対して係合片１３を折り目ｋに沿って谷折りするとともに、左右の各側面板３，５に対して上サイドフラップ９を引き裂き用ミシン目ｇに沿って谷折りし、係合片１３をその先端縁が正面板４の背面に接するように差し込む。次いで、上面板７に対して差し込みフラップ１２を折り目ｊに沿って谷折りするとともに、係止爪１２２を折り目ｑに沿って内方に向けて約９０度折り込む。さらに、背面板２に対して上面板７を折り目ｅに沿って谷折りし、差し込みフラップ１２をその先端縁が正面板４の背面に接するように差し込むことにより、包装容器１が形成される（図６参照）。
【００４４】
この際、係止爪１２２を差し込みフラップ１２と連続する平面を形成するように戻しながら、差し込みフラップ１２を差し込む。
【００４５】
ここで、差し込みフラップ１２が差し込まれ、係止爪１２２の切れ目ｐが係合片１３の下端縁を越えると、係止爪１２２は、スプリングバックによって折り目ｑに沿って折り込まれた位置に戻ろうと変形し、その切れ目ｐに沿う端縁が係合片１３の下端縁とほぼ接して交差する（図９参照）。
【００４６】
このようにして薬品が収容された包装容器１は、薬局などに出荷される。そして、薬局で薬品を購入した消費者が包装容器１を開封する場合は、上面板７を引き上げればよい。すなわち、上面板７を引き上げると、上面板７に連設された差し込みフラップ１２も引き上げられ、差し込みフラップ１２に形成された係止爪１２２が遊びを有することなく係合片１３と係合して、係合片１３を直ちに押し上げる。係合片１３が押し上げられると、その力は上サイドフラップ９の、係合片１３を連設する側の端縁に作用し、上サイドフラップ９を左右の側面板３，５から切り離すように、引き裂き用ミシン目ｇが徐々に切り裂かれる。
【００４７】
なおも上面板７が一定高さ位置まで引き上げられると、差し込みフラップ１２の係止爪１２２と係合片１３との係合状態が継続されて引き裂き用ミシン目ｇが全長にわたって切り裂かれ、包装容器１の上方開口部が開放される。したがって、開放された包装容器１の上面開口部を通して内部に収容された薬品を添付文書とともに引き出すことができる（図１０参照）。
【００４８】
一方、薬局などの店頭に展示されている包装容器１を不正に開封しようとして上面板７を引き上げた場合、前述したように、上面板７に連設された差し込みフラップ１２が引き上げられ、差し込みフラップ１２の係止爪１２２が係合片１３と遊びを有することなく直ちに係合して、係合片１３を押し上げることから、係合片１３を連設する上サイドフラップ９と、左右の側面板３，５との引き裂き用ミシン目ｇが切り裂かれる。
【００４９】
この結果、引き裂き用ミシン目ｇを切り裂かない限り上面板７は引き上げられないことから、引き裂き用ミシン目ｇの切り裂きの痕跡を残すことなく不正に開封することは困難となる。したがって、包装容器１が不正に開封されたことを引き裂き用ミシン目ｇの切り裂きの有無によって把握することができ、不正に開封された商品を誤って販売するのを確実に防止することができる。
【００５０】
なお、包装容器１に薬品を添付文書とともに収容した後、上面板７を折り込んで上方開口部を閉鎖する際、各上サイドフラップ９の表面に接着剤を塗布して、各上サイドフラップ９と上面板７とを貼着することが好ましい。すなわち、上面板７を上サイドフラップ９に貼着することにより、上面板７を引き上げて開封する際、図１０に示すように、上面板７と一体に上サイドフラップ９が引き上げられることから、係止爪１２２と係合片１３との係合と相まって、左右の側面板３，５と上サイドフラップ９とを連設する引き裂き用ミシン面ｇが確実に切り裂かれる。
【００５１】
このため、正規に上面板７を開封する場合は、速やかに引き裂き用ミシン目ｇを切り裂くことができ、一方、不正に開封しようとした場合は、引き裂き用ミシン目ｇの切り裂きを痕跡として残すことができ、より確実に不正開封を把握することができる。
【００５２】
なお、前述した実施形態においては、薬品の包装容器に適用した場合を説明したが、薬品の包装容器に限定するものではなく、それ以外の商品にも適用できるものである。
【産業上の利用可能性】
【００５３】
以上説明したように本発明によれば、包装容器が不正に開封された薬品などを誤って販売することが確実に防止され、購入者との間にトラブルが発生するのを防止でき、有益である。
【図面の簡単な説明】
【００５４】
【図１】本発明の薬品などの包装容器の第１実施例を示す斜視図である。
【図２】図１の包装容器の展開図である。
【図３】図１の包装容器の組み立て工程を示す説明図である。
【図４】図１の包装容器の要部の縦断面図である。
【図５】図１の包装容器を開封した状態を示す説明図である。
【図６】本発明の薬品などの包装容器の第２実施例を示す斜視図である。
【図７】図６の包装容器の展開図である。
【図８】図６の包装容器の組み立て工程を示す説明図である。
【図９】図６の包装容器の要部の縦断面図である。
【図１０】図６の包装容器を開封した状態を示す説明図である。
【符号の説明】
【００５５】
１  包装容器
２  背面板
３  左側面板
４  正面板
５  右側面板
６，８  糊代
７  上面板
９  上サイドフラップ
１０  下サイドフラップ
１１  下面板
１２  差し込みフラップ
１２１，１２２  係止爪
１３  係合片
ａ，ｂ，ｃ，ｄ，ｅ，ｆ，ｈ，ｉ，ｊ．ｋ，ｎ，ｑ  折り目
ｇ  引き裂き用ミシン目
ｍ，ｐ  切れ目
【図１】
2005170404.tif 000003
【図２】
2005170404.tif 000004
【図３】
2005170404.tif 000005
【図４】
2005170404.tif 000006
【図５】
2005170404.tif 000007
【図６】
2005170404.tif 000008
【図７】
2005170404.tif 000009
【図８】
2005170404.tif 000010
【図９】
2005170404.tif 000011
【図１０】
2005170404.tif 000012